(57)【要約】【課題】火災が発生したことを迅速に検知することができる火災報知器、及び送風装置を提供する。【解決手段】送風装置１００は、送風部２を備える。送風装置１００は、送風部２により吸引した空気を送風する。送風装置１００は、検知部６と、報知部１７とを備える。検知部６は、火災の発生を検知する。報知部１７は、火災が発生したことを報知する。送風部２は、空気を吸引する。検知部１７は、送風部２により吸引される空気の第２吸気路３２に配置される。【選択図】図９
2020071805.tif 000002
【特許請求の範囲】
【請求項１】
空気を吸引する吸気部を備え、前記吸気部により吸引した空気を送風する送風装置であって、
火災の発生を検知する検知部と、
火災が発生したことを報知する報知部と
を備え、
前記検知部は、前記吸気部により吸引される空気の吸気路に配置される、送風装置。
【請求項２】
ケーシングと、空気を浄化する第１フィルタとをさらに備え、
前記吸気部は、前記ケーシングの内部に空気を吸引し、
前記ケーシングの内部には、前記吸気路が形成され、
前記吸気路は、第１吸気路と、第２吸気路とを含み、
前記第１吸気路には、前記第１フィルタが配置され、
前記第２吸気路には、前記検知部が配置される、請求項１に記載の送風装置。
【請求項３】
臭気を直接又は間接に検知する臭い検知部と、
前記臭い検知部の検知結果に基づいて、前記吸気部を制御する制御部と
をさらに備え、
前記臭い検知部が臭気を検知すると、前記臭い検知部が臭気を検知していない場合よりも前記吸気部による空気の吸引量が増加するように、前記制御部が前記吸気部を制御する、請求項２に記載の送風装置。
【請求項４】
前記ケーシングの内部の空気を前記ケーシングの外部に排出する排気部と、
前記ケーシングに回動可能に取り付けられるルーバーと
をさらに備え、
前記ルーバーの回動角度に応じて、前記ケーシングから空気が排出される方向が変更され、
前記制御部は、前記臭い検知部の検知結果に基づいて、前記ルーバーの回動角度を制御する、請求項３に記載の送風装置。
【請求項５】
前記第２吸気路の開口部を開閉する扉部材をさらに備え、
前記臭い検知部が臭気を検知していない場合、前記開口部が閉塞されるように、前記制御部が前記扉部材を制御し、
前記臭い検知部が臭気を検知している場合、前記開口部が開放されるように、前記制御部が前記扉部材を制御する、請求項３又は請求項４に記載の送風装置。
【請求項６】
風を生成する外部装置と通信可能な通信部をさらに備え、
前記臭い検知部が臭気を検知した場合、前記外部装置に対して風を制御することを指示する制御コマンドを送信するように、前記制御部が前記通信部を制御する、請求項３から請求項５のいずれか１項に記載の送風装置。
【発明の詳細な説明】
【技術分野】
【０００１】
本発明は、火災報知器、及び送風装置に関する。
【背景技術】
【０００２】
火災報知器を備えた照明器具が特許文献１に開示されている。特許文献１に記載の火災報知器は、天井に設置される。特許文献１に記載の照明器具は、火災報知器が火災の発生を検知した場合に点灯する。
【先行技術文献】
【特許文献】
【０００３】
【特許文献１】特開２００６−２４５４２号公報
【発明の概要】
【発明が解決しようとする課題】
【０００４】
しかしながら、火災が発生してから、火災報知器が火災の発生を検知するまでにタイムラグが発生していた。詳しくは、火災報知器が火災の発生を検知するためにはある程度の量の煙粒子が必要である。従って、火災が発生した場合、火元から煙粒子が上昇するが、ある程度の量の煙粒子が天井に到達するまでは火災報知器が火災の発生を検知できなかった。
【０００５】
本発明は、火災が発生したことを迅速に検知することができる火災報知器、及び送風装置を提供することを目的とする。
【課題を解決するための手段】
【０００６】
本願の第１局面によれば、送風装置は、空気を吸引する吸気部を備え、前記吸気部により吸引した空気を送風する。送風装置は、検知部と、報知部とを備える。前記検知部は、火災の発生を検知する。前記報知部は、火災が発生したことを報知する。前記吸気部は、空気を吸引する。前記検知部は、前記吸気部により吸引される空気の吸気路に配置される。
【発明の効果】
【０００７】
本発明の火災報知器、及び送風装置によれば、火災が発生したことを迅速に検知することができる。
【図面の簡単な説明】
【０００８】
【図１】本発明の第１実施形態に係る送風装置を示す図である。
【図２】送風装置の断面図である。
【図３】送風装置の断面図である。
【図４】送風装置の構成を示すブロック図である。
【図５】制御部の動作を示すフロー図である。
【図６】（ａ）は、ルーバーの第１回動角度を示す図である。（ｂ）は、ルーバーの第２回動角度を示す図である。
【図７】（ａ）は、空気の流れを示す図である。（ｂ）は、空気の流れを示す図である。
【図８】（ａ）は、空気の流れを示す図である。（ｂ）は、空気の流れを示す図である。
【図９】火災報知器を示す図である。
【発明を実施するための形態】
【０００９】
本発明の実施形態について、図面を参照しながら説明する。なお、図中、同一又は相当部分については同一の参照符号を付して説明を繰り返さない。
【００１０】
［第１実施形態］
図１を参照して、本発明の第１実施形態に係る送風装置１００について説明する。図１は、本発明の第１実施形態に係る送風装置１００を示す図である。
【００１１】
図１に示すように、送風装置１００は、天井（天井パネル）Ｔに設置される。第１実施形態では、送風装置１００は、天井Ｔから送風する天井設置型の空気清浄機である。送風装置１００は、床面Ｕよりも鉛直方向の上方に位置する。
【００１２】
図１〜図３を参照して、送風装置１００についてさらに説明する。図２及び図３は、送風装置１００の断面図である。
【００１３】
図２に示すように、送風装置１００は、室内Ｒに送風する。室内Ｒは、天井Ｔと床面Ｕとの間に位置する空間である。送風装置１００は、室内Ｒに送風することで、例えば、室内Ｒの空気の温度、湿度、及び、清浄度のうちの少なくとも１つを調整する。第１実施形態の送風装置１００は、室内Ｒの空気の清浄度を調整する空気清浄機である。なお、送風装置１００は、室内Ｒの空気の温度を調整する冷暖房機でよい。また、送風装置１００は、室内Ｒの空気の湿度を調整する除湿機又は加湿器でもよい。また、送風装置１００は、空気清浄機、冷暖房機、除湿機、及び加湿器のうちの少なくとも２つの機能を有する機器でもよい。
【００１４】
図２及び図３に示すように、送風装置１００は、ケーシング１と、送風部２と、吸気路３と、排気路４と、隔壁５と、検知部６と、第１フィルタ７と、第２フィルタ８と、ニオイセンサ９と、複数のルーバー１０と、カバー部材１１とを備える。
【００１５】
ケーシング１は、中空の部材である。ケーシング１は天井Ｔに設置される。具体的には、ケーシング１は、引掛シーリングローゼットＴ１を介して天井Ｔに取り付けられる。しかし、本発明はこれに限定されない。ケーシング１は、床面Ｕよりも鉛直方向の上方に設置されればよい。ケーシング１は、例えば、床面Ｕと天井Ｔとの間に介在する壁部Ｋに設置されてもよい。
【００１６】
送風部２は、ケーシング１の内部Ｎに空気を吸引する。また、送風部２は、ケーシング１の内部Ｎの空気をケーシング１の外部に排出する。送風部２は、ケーシング１に収容される。送風部２は、ファン２ａと、駆動源２ｂとを有する。ファン２ａは、例えば、シロッコファンである。ファン２ａは、駆動源２ｂの動力で回転する。駆動源２ｂは、例えば、モータを含む。
【００１７】
送風部２は、本発明の吸気部の一例である。送風装置１００は、送風部２により吸引した空気を送風する。また、送風部２は、本発明の排気部の一例である。
【００１８】
第１実施形態では、吸気部を構成する部材と、排気部を構成する部材とが１つの部材（送風部２）で構成される。しかし、本発明は、これに限定されない。吸気部を構成する部材と、排気部を構成する部材とが異なる部材であってもよい。例えば、吸気用のファンと、排気用のファンとがそれぞれ設けられてもよい。
【００１９】
吸気路３には、ケーシング１の外部の空気が流入する。吸気路３は、ケーシング１の内部Ｎに形成される。吸気路３は、第１吸気路３１と、第２吸気路３２とを含む。
【００２０】
第１吸気路３１は、ケーシング１の外部に連通し、かつ、送風部２に連通する。第１吸気路３１は、第１開口部３１ａを有する。第１開口部３１ａは、ケーシング１に形成され、ケーシング１の外部に連通する。第１開口部３１ａは、ケーシング１の下部１ａに配置される。
【００２１】
第２吸気路３２は、ケーシング１の外部に連通し、かつ、第１吸気路３１に連通する。第２吸気路３２は、第２開口部３２ａを有する。第２開口部３２ａは、ケーシング１に形成され、ケーシング１の外部に連通する。第２開口部３２ａは、ケーシング１の下部１ａに配置される。第２開口部３２ａは、第１開口部３１ａに隣接する。第２開口部３２ａは、第１開口部３１ａの側方に配置される。
【００２２】
第２開口部３２ａは、本発明の第２吸気路の開口部の一例である。
【００２３】
第１開口部３１ａの開口面積は、第２開口部３２ａの開口面積よりも大きい。従って、ケーシング１の内部Ｎに吸引される空気のうち、大部分が第１開口部３１ａから第１吸気路３１に吸引され、残り部分が第２開口部３２ａから第２吸気路３２に吸引される。
【００２４】
排気路４には、ケーシング１の外部に排出される空気が流れる。排気路４は、ケーシング１の内部Ｎに形成される。排気路４は、ケーシング１の外部に連通し、かつ、送風部２に連通する。排気路４は、第３開口部４ａを有する。第３開口部４ａは、ケーシング１に形成され、ケーシング１の外部に連通する。第３開口部４ａは、ケーシング１の側部１ｂに配置される。排気路４内の空気は、第３開口部４ａを介してケーシング１の外部に排出される。
【００２５】
隔壁５は、ケーシング１の内部Ｎに配置される。隔壁５は、板状の部材である。隔壁５は、第１吸気路３１と第２吸気路３２との間に配置され、第１吸気路３１と第２吸気路３２とを区画する。
【００２６】
送風部２は、ファン２ａを回転させることによって、ケーシング１の外部の空気をケーシング１の内部Ｎに吸引する。送風部２は、第１吸気路３１及び第２吸気路３２を通じてケーシング１の外部の空気をケーシング１の内部Ｎに吸引する。図２の矢印Ｙ１は、第１吸気路３１を通じて空気が吸引される方向を示す。図２の矢印Ｙ２は、第２吸気路３２を通じて空気が吸引される方向を示す。
【００２７】
送風部２は、ファン２ａを回転させることによって、排気路４を通じてケーシング１の内部Ｎの空気をケーシング１の外部に排出する。図２の矢印Ｙ３は、ケーシング１から空気が排出される方向を示す。
【００２８】
送風部２は、ケーシング１の下部１ａから空気を吸引して、ケーシング１の側部１ｂから空気を排出する。
【００２９】
排気路４には、イオン発生素子（不図示）が設けられる。イオン発生素子はイオンを発生する。その結果、ケーシング１からイオンを含んだ空気が排出される。
【００３０】
検知部６は、火災の発生を検知する。具体的には、検知部６は、空気に含まれる煙粒子（煙）の濃度に基づいて、火災の発生を検知する。煙粒子は、不完全燃焼の結果生成される粒子を示す。
【００３１】
検知部６は、例えば、発光部と、受光部と、発光部及び受光部を収容する収容部とを有する。そして、収容部の内部に、例えば、減光率１５％以上の濃度の煙粒子が存在する場合、発光部から発光された光が煙粒子により屈折されて受光部に到達する。その結果、検知部６が火災の発生を検知する。
【００３２】
料理により煙が発生した場合、及び、タバコにより煙が発生した場合のような日常生活で生成される程度の煙が発生した場合は、通常は、減光率１５％以上の濃度の煙粒子が生成されない。従って、この場合は、検知部６は、火災の発生を検知しない。
【００３３】
検知部６は、第２吸気路３２に配置される。検知部６は、第２吸気路３２に存在する煙粒子に基づいて、火災の発生を検知する。従って、火災が発生した場合、送風部２により第２吸気路３２に煙粒子を吸引することで、検知部６により火災の発生を迅速に検知することができる。
【００３４】
第１フィルタ７は、空気中の塵埃を捕獲する。第１フィルタ７は、例えば、ＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）である。第１フィルタ７は、第１吸気路３１に配置される。具体的には、第１フィルタ７は、第１吸気路３１の第１開口部３１ａに配置される。第１フィルタ７は、第１開口部３１ａの全域を覆うように配置される。
【００３５】
送風部２は、第１フィルタ７を介してケーシング１の外部の空気を第１吸気路３１に吸引する。その結果、第１吸気路３１のうち第１フィルタ７よりも下流には、第１フィルタ７により浄化された空気が流入する。
【００３６】
第１フィルタ７により浄化された空気は、排気路４を介してケーシング１の外部に排出される。その結果、室内Ｒの空気の清浄度が向上する。
【００３７】
第２フィルタ８は、煙粒子が通過することを許容する。第２フィルタ８は、煙粒子よりも寸法が大きい粒子が通過することを抑制する。第２フィルタ８は、例えば、ウレタン、又は不織布により形成される。第２フィルタ８は、第２吸気路３２に配置される。具体的には、第２フィルタ８は、第２吸気路３２の第２開口部３２ａに配置される。第２フィルタ８は、第２開口部３２ａの全域を覆うように配置される。
【００３８】
第２吸気路３２内において、第２フィルタ８は検知部６の上流に位置する。
【００３９】
第１フィルタ７は、煙粒子よりも大きい粉塵のみならず、煙粒子よりも小さい粉塵も捕獲する。また、第１フィルタ７は、煙粒子、及び煙粒子と同じ寸法の粉塵を捕獲する。これに対し、第２フィルタ８は、煙粒子よりも大きい粉塵を捕獲する一方、煙粒子よりも小さい粉塵を捕獲しない。また、第２フィルタ８は、煙粒子、及び煙粒子と同じ寸法の粉塵を捕獲しない。従って、第２フィルタ８は、第１フィルタ７よりもフィルタの目が粗い。
【００４０】
送風部２は、第２フィルタ８を介してケーシング１の外部の空気を第２吸気路３２に吸引する。第２フィルタ８は、煙粒子が通過することを許容する。その結果、煙粒子が第２フィルタ８を介して第２吸気路３２に流入するので、検知部６が火災の発生を検知することが可能になる。
【００４１】
また、第２フィルタ８は、煙粒子よりも大きい粉塵を捕獲できる。その結果、検知部６が塵埃を煙粒子と誤って検知することを抑制でき、さらに、第２フィルタ８によって空気をある程度浄化することができる。
【００４２】
ニオイセンサ９は、臭気を検知する。具体的には、ニオイセンサ９は、室内Ｒの臭気を検知する。ニオイセンサ９は、ケーシング１の内部Ｎに配置される。図３に示すように、ケーシング１のうちニオイセンサ９と対向する部分には、ケーシング１の外部に連通する孔１ｃが形成される。
【００４３】
孔１ｃは、第１開口部３１ａ及び第２開口部３２ａの各々に対して離間した場所に位置する。孔１ｃには、第１吸気路３１及び第２吸気路３２の各々とは異なるルートで、ケーシング１の外部の空気が流入する。従って、孔１ｃに流入する空気は、第１フィルタ７、及び／又は、第２フィルタ８によって浄化されていない。その結果、ニオイセンサ９は、臭気を精度よく検知することができる。
【００４４】
ニオイセンサ９は、孔１ｃを通じてケーシング１の内部Ｎに流入した臭気を検知する。
【００４５】
第１実施形態のニオイセンサ９は、臭気を直接に検知する。臭気を直接に検知することは、ニオイセンサ９が臭気検知用のセンサを有しており、臭気検知用のセンサを用いて臭気を検知することを示す。なお、ニオイセンサ９は、臭気を間接に検知してもよい。臭気を間接に検知することは、ニオイセンサ９自体が臭気を検知せず、ニオイセンサ９が臭気検知用のセンサと有線又は無線で接続されており、臭気検知用のセンサの検知結果を通信により取得することを示す。ニオイセンサ９が臭気を間接に検知する場合、臭気検知用のセンサは、送風装置１００と別体の単体の機器でもよく、又は、送風装置１００と別体の装置に含まれる機器でもよい。送風装置１００と別体の装置は、例えば、床置きの空気清浄機である。ニオイセンサ９は、本発明の臭い検知部の一例である。
【００４６】
ルーバー１０は、ケーシング１から空気が排出される方向を規定する。ルーバー１０は、略板状の部材である。ルーバー１０は、ケーシング１の第３開口部４ａに回動可能に取り付けられる。
【００４７】
一対のルーバー１０が、上下方向に沿って間隔を空けて平行に配置される。ケーシング１から排出された空気は、一対のルーバー１０の間を通って放出される。ケーシング１から排出された空気は、一対のルーバー１０の回動角度に応じた方向へ放出される。一対のルーバー１０は、ケーシング１の両側部にそれぞれ設けられる。
【００４８】
カバー部材１１は、第１フィルタ７及び第２フィルタ８を下方から覆う。カバー部材１１は、略円盤状に形成される。カバー部材１１は、ケーシング１に取り付けられる。カバー部材１１は、第１フィルタ７及び第２フィルタ８に下方から対向する。従って、カバー部材１１は、室内Ｒのユーザーが第１フィルタ７及び第２フィルタ８を視認することを阻害する。その結果、室内Ｒのユーザーが第１フィルタ７及び第２フィルタ８を視認することが回避されるので、送風装置１００の美観を確保することが可能になる。また、カバー部材１１は、第１フィルタ７及び第２フィルタ８に対して間隔を空けて配置される。その結果、カバー部材１１と、第１フィルタ７及び第２フィルタ８との間に、矢印Ｙ１及び矢印Ｙ２に示す空気の流れを確保することが可能になる。
【００４９】
ケーシング１の内部Ｎには、照明部設置空間１２（図３参照）が形成される。照明部設置空間１２は、後述する照明部１５（図４参照）を設置するための空間である。照明部設置空間１２は、環状に形成される。照明部設置空間１２の内側には、第１フィルタ７、第２フィルタ８、及びニオイセンサ９が配置される。
【００５０】
送風装置１００は、照明カバー１３をさらに備える。照明カバー１３は、光を透過する部材である。照明カバー１３は、例えば、半透明の樹脂により形成される。照明カバー１３は、環状に形成される。照明カバー１３は、照明部設置空間１２の下部及び側部を覆う。下方から見て、照明カバー１３の内側にカバー部材１１が配置される。その結果、照明カバー１３を透過した光が、カバー部材１１に遮られることなく、室内Ｒ（図２参照）に出射される。
【００５１】
次に、図４を参照して、送風装置１００についてさらに説明する。図４は、送風装置１００の構成を示すブロック図である。
【００５２】
図４に示すように、送風装置１００は、ルーバー駆動部１４と、照明部１５と、通信部１６と、報知部１７と、記憶部１８と、制御部１９とをさらに備える。
【００５３】
ルーバー駆動部１４は、ルーバー１０を回動させる。ルーバー駆動部１４は、例えば、モータを含む。
【００５４】
照明部１５は、光を出射する。第１実施形態の照明部１５は、シーリングライトである。照明部１５は、ケーシング１の内部Ｎに設置される。具体的には、照明部１５は、照明部設置空間１２に設置される。照明部１５は、例えば、環状の基板と、基板に設置される複数の光源とを含む。光源は、例えば、ＬＥＤ（Ｌｉｇｈｔ  Ｅｍｉｔｔｉｎｇ  Ｄｉｏｄｅ）である。光源が発した光は、照明カバー１３を介して室内Ｒに出射される。
【００５５】
通信部１６は、同じ通信方式（プロトコル）を利用する通信機が搭載された電子機器との間で通信が可能である。通信部１６は、例えば、ＬＡＮボードのような通信モジュール（通信機器）である。
【００５６】
報知部１７は、火災が発生したことを報知する。報知部１７は、例えば、報知音を発するスピーカである。この場合、検知部６が火災の発生を検知すると、報知部１７が報知音を発生する。その結果、ユーザーは、火災が発生したことを認識することができる。
【００５７】
なお、報知部１７は、ケーシング１に設けられる点灯部でもよい。点灯部は、例えば、ＬＥＤを含む。この場合、検知部６が火災の発生を検知すると、点灯部が点灯する。
【００５８】
記憶部１８は、記憶装置を含む。記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御部１９によって実行される種々のコンピュータープログラムを記憶する。
【００５９】
制御部１９は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部１９は、送風装置１００の各要素を制御する。具体的には、制御部１９のプロセッサーは、記憶装置に記憶されたコンピュータープログラムを実行することにより、送風部２と、検知部６と、ルーバー駆動部１４と、照明部１５と、通信部１６と、報知部１７と、記憶部１８とを制御する。
【００６０】
次に、図３〜図５を参照して、制御部１９の動作について説明する。図５は、制御部１９の動作を示すフロー図である。図５に示す制御部１９の動作は、例えば、ユーザーが送風装置１００の駆動を開始させるボタンを押下することにより始まる。
【００６１】
図３〜図５に示すように、ステップＳ１において、ファン２ａが第１回転速度で回転するように、制御部１９が駆動源２ｂを制御する。その結果、室内Ｒの空気がケーシング１の内部Ｎに吸引される。第１回転速度は、ニオイセンサ９が臭気を検知していないときのファン２ａの回転速度を示す。
【００６２】
室内Ｒの空気は、第１フィルタ７及び第２フィルタ８を介してケーシング１の内部Ｎに吸引される。空気が第１フィルタ７及び第２フィルタ８を通過する際に空気中の塵埃が第１フィルタ７及び第２フィルタ８により捕獲される。ケーシング１の内部Ｎに吸引された空気は、ケーシング１の第３開口部４ａから室内Ｒに戻される。その結果、室内Ｒの空気が浄化される。
【００６３】
以下では、ファン２ａが第１回転速度で回転するときの送風部２による空気の吸引量を第１吸引量と記載することがある。空気の吸引量は、詳細には、ケーシング１の内部Ｎに吸引される単位時間当たりの空気の量を示す。
【００６４】
ステップＳ２において、ニオイセンサ９が臭気を検知しているか否かを制御部１９が確認する。ニオイセンサ９が臭気を検知している場合（ステップＳ２で、Ｙｅｓ）、処理がステップＳ３に移行する。ニオイセンサ９が臭気を検知していない場合（ステップＳ２で、Ｎｏ）、ステップＳ２に示す処理が繰り返される。
【００６５】
ステップＳ３において、制御部１９は、ファン２ａの回転速度を増加させる。具体的には、ファン２ａが第２回転速度で回転するように、制御部１９が駆動源２ｂを制御する。第２回転速度は、第１回転速度よりも速い。その結果、ファン２ａが第１回転速度で回転している場合に比べて、ファン２ａが第２回転速度で回転している場合の方が、送風部２による空気の吸引量が増加する。第２回転速度は、ニオイセンサ９が臭気を検知しているときのファン２ａの回転速度を示す。
【００６６】
以下では、ファン２ａが第２回転速度で回転するときの送風部２による空気の吸引量を第２吸引量と記載することがある。第２吸引量は、第１吸引量よりも多い。
【００６７】
送風部２による空気の吸引量が第１吸引量から第２吸引量に増加することで、第１吸気路３１及び第２吸気路３２への単位時間当たりの空気の流入量が増加する。従って、ケーシング１の外部の空気を第２吸気路３２に効果的に取り込むことが可能になる。
【００６８】
ステップＳ４において、ファン２ａが第２回転速度での回転を開始してから所定時間経過した後、ファン２ａが回転を停止するように、制御部１９が駆動源２ｂを制御する。すなわち、送風部２による空気の吸引量が増加されてから所定時間経過すると、送風部２による空気の吸引が停止される。所定時間は、例えば、室内Ｒの広さに応じて適宜決定される。所定時間は、例えば、数十秒である。
【００６９】
ステップＳ５において、検知部６が火災の発生を検知しているか否かを、制御部１９が確認する。検知部６が火災の発生を検知している場合（ステップＳ５で、Ｙｅｓ）、処理がステップＳ６に移行する。検知部６が火災の発生を検知していない場合（ステップＳ５で、Ｎｏ）、処理がステップＳ１に移行する。
【００７０】
ステップＳ６において、火災が発生したことを報知部１７が報知するように、制御部１９が報知部１７を制御する。火災が発生したことを報知部１７が報知すると、処理が終了する。
【００７１】
以上、図３〜図５を参照して説明したように、ステップＳ２及びステップＳ３において、ニオイセンサ９が臭気を検知すると、ニオイセンサ９が臭気を検知していない場合よりも送風部２による空気の吸引量が増加するように、制御部１９が送風部２を制御する。従って、火災が発生した場合、煙の臭いのような火災により発生する臭いをニオイセンサ９が臭気として検知するので、送風部２による空気の吸引量が増加する。その結果、空気に含まれる煙粒子を第２吸気路３２に迅速に吸引することができるので、検知部６により火災の発生を迅速に検知することができる。
【００７２】
また、ステップＳ４において、送風部２による空気の吸引量が増加してから所定時間経過すると、送風部２による空気の吸引が停止されるように、制御部１９が送風部２を制御する。従って、空気に含まれる煙粒子が送風部２により第２吸気路３２に吸引された後、送風部２による空気の吸引が停止されることで、第２吸気路３２に煙粒子が存在している状態を保持できる。その結果、検知部６により火災の発生を効果的に検知することができる。
【００７３】
また、送風装置１００を２４時間稼働させることで、送風装置１００の電源を用いて火災報知部材（検知部６及び報知部１７）を２４時間稼働させることができる。従って、火災報知部材を２４時間稼働させるためにバッテリを別途用意する必要がない。
【００７４】
［第２実施形態］
次に、図５、図６（ａ）、及び図６（ｂ）を参照して、送風装置１００の第２実施形態について説明する。
【００７５】
図６（ａ）は、ルーバー１０の第１回動角度θ１を示す図である。図６（ｂ）は、ルーバー１０の第２回動角度θ２を示す図である。
【００７６】
第２実施形態は、ニオイセンサ９の検知結果に基づいてルーバー１０の回動角度が変更される点が第１実施形態と異なる。
【００７７】
図５及び図６（ａ）に示すように、ステップＳ１において、ニオイセンサ９が臭気を検知しておらず、送風部２による空気の吸引量が第１吸引量の場合、ルーバー１０の回動角度が第１回動角度θ１になるように、制御部１９がルーバー駆動部１４を制御する。ルーバー１０の回動角度は、水平面に対して鉛直方向の下方側を正としたときの、ルーバー１０の基端部１０ａを中心としたルーバー１０の先端部１０ｂの回動角度を示す。ルーバー１０の基端部１０ａは、ルーバー１０のうちケーシング１に回動可能に取り付けられている部分を示す。ルーバー１０の先端部１０ｂは、ルーバー１０のうちケーシング１から突出している側の端部を示す。
【００７８】
第１回動角度θ１は、０度よりも大きく、９０度よりも小さい。ルーバー１０の回動角度が第１回動角度θ１の場合、ルーバー１０はケーシング１から鉛直方向の下方側に突出する。この場合、送風装置１００は、図６（ａ）に示すように矢印Ｙ方向に空気を吸引して、矢印Ｙ３方向に空気を排出する。その結果、第１フィルタ７及び第２フィルタ８により浄化された空気がケーシング１から斜め下に向けて放出されるので、第１フィルタ７及び第２フィルタ８による浄化済みの空気を室内Ｒに効果的に供給することが可能になる。
【００７９】
図５及び図６（ｂ）に示すように、ステップＳ３において、ニオイセンサ９が臭気を検知しており、送風部２による空気の吸引量が第２吸引量の場合、ルーバー１０の回動角度が第２回動角度θ２になるように、制御部１９がルーバー駆動部１４を制御する。
【００８０】
第２回動角度θ２は、略０度である。ルーバー１０の回動角度が第２回動角度θ２の場合、ルーバー１０はケーシング１から略水平に突出する。この場合、送風装置１００は、図６（ｂ）に示すように矢印Ｙ方向に空気を吸引して、矢印Ｙ４方向に空気を排出する。従って、空気がケーシング１から略水平に放出されるので、ケーシング１の内部Ｎに吸引される空気の流れが、ケーシング１から放出される空気の流れの干渉を受けることが抑制される。その結果、ケーシング１の内部Ｎに室内Ｒの空気を効果的に吸引することができる。また、室内Ｒで火災が発生している場合は、火災で発生した煙をケーシング１の内部Ｎに効果的に吸引することができる。
【００８１】
［第３実施形態］
次に、図５、図７（ａ）、及び図７（ｂ）を参照して、送風装置１００の第３実施形態について説明する。
【００８２】
図７（ａ）は、空気の流れを示す図である。図７（ｂ）は、空気の流れを示す図である。
【００８３】
第３実施形態は、ニオイセンサ９が臭気を検知しているか否かにより、ケーシング１の内部Ｎに吸引される空気の流れが変更される点が第１実施形態と異なる。
【００８４】
図７（ａ）に示すように、送風装置１００は、第１扉部材２０と、第１扉駆動部２１とをさらに備える。
【００８５】
第１扉部材２０は、第２開口部３２ａを開閉する。第１扉部材２０は、略板状の部材である。第１扉部材２０は、ケーシング１に取り付けられ、ケーシング１により側方へスライド自在に支持される。
【００８６】
第１扉駆動部２１は、第１扉部材２０をスライドさせる駆動源である。第１扉駆動部２１は、例えば、モータを含む。
【００８７】
第１扉部材２０は、第１閉塞位置Ｐ１と、第１開放位置Ｑ１との間でスライドする。
【００８８】
図７（ａ）において、第１扉部材２０は、第１閉塞位置Ｐ１に位置する。第１閉塞位置Ｐ１は、第１扉部材２０が第２開口部３２ａを閉塞する位置である。第２開口部３２ａが閉塞される場合、ケーシング１の外部の空気が第２開口部３２ａを介して第２吸気路３２に流入することが遮断される。
【００８９】
図５及び図７（ａ）に示すように、ステップＳ１において、ニオイセンサ９が臭気を検知しておらず、送風部２による空気の吸引量が第１吸引量の場合、第１扉部材２０が第１閉塞位置Ｐ１に位置するように、制御部１９が第１扉駆動部２１を制御する。その結果、第１扉部材２０が第１閉塞位置Ｐ１に配置される。
【００９０】
第１扉部材２０が第１閉塞位置Ｐ１に配置される場合、ケーシング１の外部の空気は、第２吸気路３２には流入せず、第１吸気路３１のみを介してケーシング１の内部Ｎに流入する。その結果、ケーシング１の外部の空気を、第２フィルタ８を用いずに、第１フィルタ７のみを用いて浄化するので、第１フィルタ７と第２フィルタ８との両方を用いる場合に比べて、空気をより浄化することができる。
【００９１】
図７（ｂ）において、第１扉部材２０は、第１開放位置Ｑ１に位置する。第１開放位置Ｑ１は、第１扉部材２０が第２開口部３２ａを開放する位置である。第２開口部３２ａが開放される場合、ケーシング１の外部の空気が第２開口部３２ａを介して第２吸気路３２に流入することが許容される。
【００９２】
図５及び図７（ｂ）に示すように、ステップＳ３において、ニオイセンサ９が臭気を検知しており、送風部２による空気の吸引量が第２吸引量の場合、第１扉部材２０が第１開放位置Ｑ１に位置するように、制御部１９が第１扉駆動部２１を制御する。その結果、第１扉部材２０が第１開放位置Ｑ１に配置される。
【００９３】
第１扉部材２０が第１開放位置Ｑ１に配置される場合、火災により発生した煙粒子は、第２吸気路３２に流入する。その結果、検知部６は、火災の発生を検知することができる。
【００９４】
［第４実施形態］
次に、図５、図８（ａ）、及び図８（ｂ）を参照して、送風装置１００の第４実施形態について説明する。
【００９５】
図８（ａ）は、空気の流れを示す図である。図６（ｂ）は、空気の流れを示す図である。
【００９６】
第４実施形態は、ニオイセンサ９が臭気を検知しているか否かにより、ケーシング１に吸引される空気の流れが変更される点が第１実施形態と異なる。
【００９７】
図８（ａ）に示すように、送風装置１００は、第２扉部材２２と、第２扉駆動部２３とをさらに備える。
【００９８】
第２扉部材２２は、第２開口部３２ａを開閉する。第２扉部材２２は、略板状の部材である。第２扉部材２２は、一端部２２ａと、他端部２２ｂ（図８（ｂ）参照）とを有する。第２扉部材２２の一端部２２ａは、ケーシング１に回動可能に取り付けられる。第２扉部材２２の他端部２２ｂは、一端部２２ａを中心に回動する。
【００９９】
第２扉駆動部２３は、第２扉部材２２を回動させる駆動源である。第２扉駆動部２３は、例えば、モータを含む。
【０１００】
第２扉部材２２は、第２閉塞位置Ｐ２と、第２開放位置Ｑ２との間で回動する。
【０１０１】
図８（ａ）において、第２扉部材２２は、第２閉塞位置Ｐ２に位置する。第２閉塞位置Ｐ２は、第２扉部材２２が第２開口部３２ａを閉塞する位置である。
【０１０２】
図５及び図８（ａ）に示すように、ステップＳ１において、ニオイセンサ９が臭気を検知しておらず、送風部２による空気の吸引量が第１吸引量の場合、第２扉部材２２が第２閉塞位置Ｐ２に位置するように、制御部１９が第２扉駆動部２３を制御する。その結果、第２扉部材２２が第２閉塞位置Ｐ２に配置される。
【０１０３】
第２扉部材２２が第２閉塞位置Ｐ２に配置される場合、ケーシング１の外部の空気は、第２吸気路３２には流入せず、第１吸気路３１のみを介してケーシング１の内部Ｎに流入する。
【０１０４】
図８（ｂ）において、第２扉部材２２は、第２開放位置Ｑ２に位置する。第２開放位置Ｑ２は、第２扉部材２２が第２開口部３２ａを開放する位置である。
【０１０５】
図５及び図８（ｂ）に示すように、ステップＳ３において、ニオイセンサ９が臭気を検知しており、送風部２による空気の吸引量が第２吸引量の場合、第２扉部材２２が第２開放位置Ｑ２に位置するように、制御部１９が第２扉駆動部２３を制御する。その結果、第２扉部材２２が第２開放位置Ｑ２に配置される。
【０１０６】
第２扉部材２２が第２開放位置Ｑ２に配置される場合、火災により発生した煙粒子は、第２吸気路３２に流入する。その結果、検知部６は、火災の発生を検知することができる。
【０１０７】
また、第２扉部材２２が第２開放位置Ｑ２に配置される場合、第２扉部材２２の他端部２２ｂがカバー部材１１に接触する。従って、第２扉部材２２は、ケーシング１とカバー部材１１との間に入り込もうとする煙粒子を、第２扉部材２２に沿わせるようにして第２吸気路３２に案内することができる。その結果、検知部６は、火災の発生をより効果的に検知することができる。
【０１０８】
なお、第２扉部材２２が第２開放位置Ｑ２に配置される場合、第２扉部材２２の他端部２２ｂがカバー部材１１に接触していなくてもよく、他端部２２ｂとカバー部材１１との間に隙間が存在していてもよい。
【０１０９】
［第５実施形態］
次に、図９を参照して、火災報知器２００について説明する。
【０１１０】
図９は、火災報知器２００を示す図である。
【０１１１】
火災報知器２００は、第１実施形態〜第４実施形態に示す送風装置１００から空気を浄化する機能と、照明機能とを省いた構成を有する。
【０１１２】
図９に示すように、火災報知器２００は、ケーシング１と、送風部２と、排気路４と、検知部６と、第２フィルタ８と、報知部１７と、記憶部１８と、制御部１９と、第２吸気路３２とを備える。
【０１１３】
火災報知器２００は、送風部２により第２吸気路３２にケーシング１の外部の空気を吸引する。従って、室内Ｒに火災が発生した場合、送風部２が第２吸気路３２に煙粒子を吸引する。その結果、火災が発生したことを検知部６により迅速に検知することができる。
【０１１４】
なお、火災報知器２００は、ニオイセンサ９（図２参照）をさらに備えていてもよい。この場合、火災報知器２００は、図５のステップＳ１〜ステップＳ６に示す処理を行うことができる。
【０１１５】
また、火災報知器２００は、照明部１５（図４参照）を有していてもよい。
【０１１６】
以上、図面（図１〜図９）を参照しながら本発明の実施形態について説明した。但し、本発明は、上記の実施形態に限られるものではなく、その要旨を逸脱しない範囲で種々の態様において実施することが可能である（例えば、（１）〜（７））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１１７】
（１）図５に示すステップＳ２において、ニオイセンサ９が臭気を検知した場合、通信部１６（図４参照）が外部装置に対して所定の制御コマンドを送信するように、制御部１９が通信部１６を制御してもよい。外部装置は、送風装置１００以外の装置であり、かつ、室内Ｒに風を生成する装置である。外部装置は、例えば、冷暖房機、又は、床置きの空気清浄機である。所定の制御コマンドは、外部装置に対して風を制御することを指示する制御コマンドである。所定の制御コマンドは、例えば、外部装置により生成される風の風量を減少させる制御コマンド、及び／又は、外部装置により生成される風の流れる方向を所定方向に変更する制御コマンドである。所定方向は、送風装置１００による空気の吸引方向（図６（ａ）の矢印Ｙ参照）と交差しない方向を示す。
【０１１８】
外部装置は、送風装置１００から送信された所定の制御コマンドを受信すると、所定の制御コマンドを実行する。従って、外部装置は、風の風量を減少させ、及び／又は、風の流れる方向を変更する。その結果、送風装置１００は、外部装置の生成する風の影響を抑制しつつ、ケーシング１の内部Ｎに空気を吸引することができる。
【０１１９】
（２）ニオイセンサ９が臭気の種類を判別することができる場合、図５に示すステップＳ２において、ニオイセンサ９が火災の煙の臭いを検知した場合のみ、ステップＳ２でＹｅｓと判定されて、ステップＳ３〜ステップＳ６に示す処理が行われてもよい。この場合、ニオイセンサ９が、火災の臭いを検知せずに、例えば、調理の煙の臭いを検知した場合、又は、たばこの煙の臭いを検知した場合は、ステップＳ２でＮｏと判定される。その結果、検知部６の誤検知を抑制でき、検知部６による火災の発生の検知精度を向上させることができる。
【０１２０】
（３）第１実施形態〜第５実施形態において、ニオイセンサ９に代えて、空気中の二酸化炭素の濃度を検知する濃度センサを設けてもよい。この場合、図５に示すステップＳ２において、濃度センサが所定値以上の二酸化炭素の濃度を検知した場合、ステップＳ２でＹｅｓと判定されて、ステップＳ３〜ステップＳ６に示す処理が行われる。これに対し、濃度センサが所定値以上の二酸化炭素の濃度を検知しない場合、ステップＳ２でＮｏと判定される。所定値は、火災が発生しているときの空気中の二酸化炭素の通常の濃度を示す。
【０１２１】
（４）第１実施形態〜第４実施形態において、図２に示すように、検知部６は、煙粒子の濃度に基づいて火災の発生を検知する。しかし、本発明はこれに限定されない。検知部６は、気温を検知することで火災の発生を検知してもよい。この場合、検知部６は、例えば、６５℃以上の気温を検知した場合、火災が発生したことを検知する。この場合、火災が発生すると、火災により温度上昇した空気が送風部２により第２吸気路３２に吸引される。その結果、検知部６が火災の発生を迅速に検知することができる。なお、この場合、第１吸気路３１に検知部６を配置して、ケーシング１の内部Ｎに第２吸気路３２を設けない構成でもよい。
【０１２２】
（５）第１実施形態〜第４実施形態において、送風装置１００は、照明機能を有していなくてもよい。具体的には、送風装置１００は、照明カバー１３と、照明部１５とを有していなくてもよい。その結果、送風装置１００をシンプルに構成することができる。
【０１２３】
（６）第１実施形態〜第４実施形態において、通信部１６が報知部として機能してもよい。この場合、検知部６が火災の発生を検知すると、通信部１６は、例えば、ユーザーの端末に対して、火災が発生したことを示す情報を送信する。また、第５実施形態において、火災報知器２００に通信部１６を備えさせ、通信部１６を報知部として機能させてもよい。
【０１２４】
（７）第１実施形態〜第４実施形態において、照明部１５が報知部として機能してもよい。この場合、検知部６が火災の発生を検知すると、照明部１５は、例えば、赤色のような通常の色とは異なる色の光を出射する。その結果、ユーザーは、火災が発生したことを認識することができる。また、室内Ｒが赤色のような通常の色とは異なる色の光で照らされていると、室外にいる通行人に対しても室内Ｒに異常が発生していることを気づかせることが可能になる。なお、通常の色は、例えば、白色である。また、検知部６が火災の発生を検知すると、照明部１５は、所定のパターンで調光を変化させてもよい。
【０１２５】
また、第５実施形態において、火災報知器２００に照明部１５を備えさせ、照明部１５を報知部として機能させてもよい。
【産業上の利用可能性】
【０１２６】
本発明は、火災報知器、及び送風装置の分野に利用可能である。
【符号の説明】
【０１２７】
１      ケーシング
２      送風部（吸気部、排気部）
３      吸気路
６      検知部
７      第１フィルタ
８      第２フィルタ
９      ニオイセンサ（臭い検知部）
１０    ルーバー
１５    照明部
１６    通信部
１７    報知部
１９    制御部
２０    第１扉部材（扉部材）
２２    第２扉部材（扉部材）
３１    第１吸気路
３２    第２吸気路
３２ａ  第２開口部（開口部）
１００  送風装置
２００  火災報知器
【図１】
2020071805.tif 000003
【図２】
2020071805.tif 000004
【図３】
2020071805.tif 000005
【図４】
2020071805.tif 000006
【図５】
2020071805.tif 000007
【図６】
2020071805.tif 000008
【図７】
2020071805.tif 000009
【図８】
2020071805.tif 000010
【図９】
2020071805.tif 000011